(57)【要約】【課題】溝等の空所を有する物品を包装する包装体において、付属品類の同梱を低コストで行えると共に梱包忘れも解消した構造を提供する。【解決手段】包装体２０は段ボールシートから成っており、物品５（机を構成する背面部材）の端部に嵌まるように中空で扁平状の形態になっている。包装体２０のうち物品５の長溝１７ｃを覆う部分に、切り込み２２で囲われたフラップ２４〜２７よりなるポケット部２１が形成されており、このポケット部２１に付属品類が収納される。ポケット部２１の箇所では背面部材５のパネル１７が底の役割を果たしている。また、ポケット部２１は透明な粘着テープ３４で封止されており、包装後において付属品同梱の有無を視認できる。【選択図】図５
2007197015.tif 000002
【特許請求の範囲】
【請求項１】
物品の一部又は全部を覆う包装体であって、この包装体は、物品を包装した後において表面が外部に露出していると共に、物品と干渉しないポケット部が設けられている、
包装体。
【請求項２】
前記包装体は段ボールシート又は板紙からなっており、前記ポケット部は、ヒンジ部とこれに連続した切り込みとで囲われたフラップを前記ヒンジ部の箇所を折り目として裏側に折り曲げることで形成されるようになっている、
請求項１に記載した包装体。
【請求項３】
一面に凹所が形成されている物品を覆う包装体であって、この包装体は、前記物品の凹所を塞ぐ部分を有すると共に、一定方向にスライドさせることで物品に嵌脱するように一端が開口した中空に形成されており、かつ、前記物品の凹所を覆う部分に、前記凹所に入り込た状態で前記ポケット部が形成されている、
請求項１又は２に記載した包装体。
【請求項４】
請求項１又は請求項２に記載した包装体で物品を包装する方法であって、外向きに開口した前記ポケット部に物を入れてから、透明又は半透明の粘着テープでポケット部を塞ぐ工程を経る、
物品の包装方法。
【発明の詳細な説明】
【技術分野】
【０００１】
本願発明は、物品を搬送したり保管したりするに際して物品が傷つかないように保護するための包装体、及び、この包装体を使用した包装方法に関するものである。
【背景技術】
【０００２】
殆どの商品（物品）は包装体で包装された状態で出荷されたり保管されたりしている。包装体としては段ボール箱が最もポピュラーであり、この場合は、商品はその全体が段ボール箱で覆われて外側から視認することはできない。安定の悪いものや衝撃に弱い商品の場合、商品を発泡スチロール製の保護材に嵌め込んで、保護材と商品とを一緒に段ボール箱に収納することも広く行われている。
【０００３】
他方、コスト低減やゴミ減量（換言すると環境負荷の低減）のため商品を部分的に包装することも行われている。例えば、角張った部分を有する商品の場合はコーナー部のみにパット状の包装体を重ねたり（例えば特許文献１）、或いは、長尺状の商品や板状の商品についてその端部のみを包装体で覆うといった方法でり、この場合は、包装体はループ状の樹脂テープや紐で固定したり、粘着テープで商品に固定したりしている。
【０００４】
商品の中には本体部の他に付属品を備えているものも多くあり、また、複数の部品に分解されて包装される場合もよくある。付属品や小さい部品（以下、付属品類と言う）の包装態様としては、包装体として段ボール箱が使用されている場合は、例えば袋に入れて段ボール箱に本体部と一緒に同梱したり、発泡スチロール製の保護体に付属品用収納部を形成したりすることが行われている。また、特許文献２には、物品（例えばエアコンの室内機）のコーナー部を段ボールシート製のコーナーパッドで覆って更にその全体をケースに格納する包装形態において、コーナーパッドに、リモコン等の付属品が入る収納部を設けることが記載されている。
【特許文献１】実開昭５０−１０８８６３号公報
【特許文献２】特開２００１−１４６２６９号公報
【発明の開示】
【発明が解決しようとする課題】
【０００５】
付属品類の包装手段として、発泡スチロール製の保護体に収納部を形成したり、或いは、特許文献２のように段ボールシート製コーナーパッドに収納部を形成したりすると、搬送中に動くことを阻止して傷付いたり破損したりすることを防止できる利点があるが、発泡スチロール製の保護体にしても段ボールシート製コーナーパッドにしても主たる包装材である段ボール箱（ケース）の内部に入れられるものであるため、包装材の全体量が多くてコスト低減や環境負荷抑制に貢献できないという問題があった。
【０００６】
また、商品の梱包は工場において人手で行われることが大半であり、このため付属品を梱包し忘れることが有り得るが、従来は、附属品は段ボール箱の内部に隠れて外部から視認できない状態になっているため、梱包し忘れをチェックできないという問題もあった。
【０００７】
本願発明は、このような現状を改善することを課題とするものである。
【課題を解決するための手段】
【０００８】
ところで、従来は、付属品類は段ボール箱の内部に隠しておかねばならないという考え方に支配されていたと言える。本願発明者たちはこのような従来の考え方に囚われることなく、斬新な着想を得ることによって本願発明を完成させるに至った。
【０００９】
本願発明は包装体と包装方法とを含んでいる。請求項１の発明は包装体に係るもので、この包装体は、物品を包装した後において表面が外部に露出していると共に、物品と干渉しないポケット部が設けられている。
【００１０】
請求項２に係る発明は、請求項１において、前記包装体は段ボールシート又は板紙からなっており、前記ポケット部は、ヒンジ部（折り曲げ中心部）とこれに連続した切り込みとで囲われたフラップを前記ヒンジ部の箇所を折り目として裏側に折り曲げることで形成されるようになっている。
【００１１】
請求項３に係る発明は、請求項１又は２に記載した包装体をより具体化したもので、この包装体は、一面に凹所が形成されている物品を覆うもので、前記物品の凹所を塞ぐ部分を有すると共に、一定方向にスライドさせることで物品に嵌脱するように一端が開口した中空に形成されており、かつ、前記物品の凹所を覆う部分に、前記凹所に入り込た状態で前記ポケット部が形成されている。
【００１２】
請求項４に係る発明は包装方法に係るものであり、この方法は、請求項１又は請求項２に記載した包装体で物品を包装するもので、外向きに開口した前記ポケット部に物を入れてから、透明又は半透明の粘着テープでポケット部を塞ぐ工程を経ることを特徴としている。
【発明の効果】
【００１３】
本願発明では、包装体に形成したポケット部に付属品類を収納することができるが、ポケット部は、物品を包装した後において外部から視認できる包装体それ自体に形成しているため、従来に比べてコストを低減できると共にゴミ減量によって環境負荷も低減できる。ポケット部の形成手段には幾つかの態様が有り得るが、請求項２のように切り込みを形成することでポケット部を形成すると、加工が簡単でコスト抑制に一層貢献できる。
【００１４】
また、包装後に外部から視認できる包装体にポケット部を形成していることにより、付属品がポケット部に収納されているか否かのチェックを容易に確認することができる点でも優れている。特に、請求項４の方法を採用すると、包装後においてポケット部の内部が粘着テープから透けて見えるため、物品（商品）を包装して出荷する段階においても付属品類の有無を確認することができ、このため検品の能率と確実性とを格段に向上できる利点がある。
【００１５】
ところで、主たる物品と付属品類とを例えば段ボール箱に同梱した場合、付属品類を取り出し忘れてしまうことが有り得る。この点、請求項３のように構成すると、付属品を収納するポケット部が物品の凹所に入り込んでいることと、包装体がスライド動によって物品に嵌脱することとにより、ポケット部に付属品が入っている状態では、包装体を物品から抜き外そうとしても、付属品類又はポケット部が凹所の縁に当たって包装体を抜き外すことができず、このため、包装を解くには必ず付属品類を取り出さなければならない。よって、請求項３のように構成すると、付属品類の取り出し忘れを防止できるという利点もある。
【発明を実施するための最良の形態】
【００１６】
次に、本願発明の実施形態を図面に基づいて説明する。第１実施形態と第２実施形態とは机を構成するバックパネルの包装に適用しており、まず、図１及び図２に基づいて被包装物品（商品）について説明する。
【００１７】
(1).包装される物品の概略
図１は複数の机ユニット１で構成された机システムの概略斜視図である。机ユニット１は、天板２、脚３又は袖キャビネット４、幕板状で左右長手の背面部材５を必須の要素として備えており、オプション品として背面用机上パネル６やサイド用机上パネル（図示せず）が取り付けられる。
【００１８】
机ユニット１において、天板２は脚３又は（／及び）袖キャビネット４に連結されており、背面部材５は脚３又は（／及び）袖キャビネット４の背面に連結されており、天板２と脚３又は袖キャビネット４と背面部材５とで全体の剛性が保持されている。天板２の支持形態としては、左右とも脚４で支持される場合、脚４と袖キャビネット５とで支持される場合、左右とも袖キャビネット４で支持される場合の３通りがある。
【００１９】
また、机ユニット１を左右に連接する場合は、左右に隣り合った机ユニット１において脚３又は袖キャビネット４を共用しており、かつ、前後の机ユニット１を背中合わせに配置する場合は、前後の机ユニット１で１枚の背面部材５が共用されている。このため、背面部材５には、１つの机ユニット１のみを構成する片面仕様と、背中合わせに配置した２つの机ユニット１を構成する両面仕様との２種類が存在している。両面仕様の背面部材５は上下幅寸法が小さくて、片面仕様の背面部材５はその下端を図１（Ｂ）に符号７で指した一点鎖線で示すように上下幅が大きくなっている（片面仕様の場合は、背面部材５に目隠し機能を持たせるためである）。
【００２０】
天板２の後方には上方及び左右に開口した配線空間８が空いており、この配線空間８には着脱自在な配線カバー９を配置している。配線カバー９は左右複数（３個）の分割方式になっている。また、配線空間の左右端部にはエンドキャップ１０を着脱自在に装着している。
【００２１】
図２では、背面部材５と一緒に梱包される付属品の一部を示している。このうち（Ａ）で示しているのは前記したエンドキャップ１０であり、このエンドキャップ１０は、側面視略Ｌ字形の本体１０ａと、本体１０ａに着脱自在な上板１０ｂとからなっている。
【００２２】
図２のうち（Ｂ）に示すのは、背面部材５を上向き抜け不能に保持するため脚３又は袖キャビネット４にねじ１１で固定されるストッパー金具１２、（Ｃ）に示すのは、天板２の前部を脚３又は袖キャビネット４に連結するためのフロント連結金具１３、（Ｄ）に示すのは、天板２の後部を脚３又は袖キャビネット４に連結するためのリア連結金具１４である。
【００２３】
背面部材５は、左右長手のアッパーフレーム１５と、左右に配置した上下長手のサイドフレーム１６と、これらフレームで囲われたパネル１７とを主要部材として構成されている。パネル１７は高さを調節可能であり、アッパーフレーム１５との間に配線用等の空間を空けた状態に配置することができ、このように空間を空けたときにアッパーフレーム１５が下向きに撓むことを防止するため、図１（Ｂ）に示すように、アッパーフレーム１５とパネル１７との間には着脱自在なスペーサ１８を配置することができる。
【００２４】
(2).第１実施形態（図３〜図７）
次に、第１実施形態を説明する。本実施形態では、片面仕様の背面部材５を主たる物品として、これに、配線カバー９、エンドキャップ１０、金具１２，１３，１４，ねじ類１１、スペーサ１８等が付属品として一緒に梱包される。以下、図２〜図７に基づいて説明する。
【００２５】
図３は包装体２０を一点鎖線で示した背面部材５の正面図、図４〜図６は包装体２０の構造及び包装工程を示す斜視図、図７のうち（Ａ）は包装後の状態での図３の VIIA-VIIA視断面図、（Ｂ）は部分的な平面図、（Ｃ）は（Ｂ）のＣ−Ｃ視断面図である。
【００２６】
包装体２０の説明に先立って背面部材５について補足説明しておく。既述のとおり、背面部材５はアッパーフレーム１５、サイドフレーム１６、パネル１７を備えているが、アッパーフレーム１５とサイドフレーム１６とは中空状に形成されており、配線カバー９はアッパーフレーム１５に形成した係合溝１５ａ（図７（Ａ）参照）に取り付けられる。また、パネル１７の前面には、断面コ字状部を有する左右長手の２本の補強材１７ａが上下に隔てて溶接されており、かつ、パネル１７の上下両端には前面側に向けて突出した下折り曲げ部１７ｂが形成されている。このため、パネル１７の前面には、補強材１７ａで挟まれたセンター横長溝１７ｃと、これを挟んだ上下に配置されたアッパー横長溝１７ｄ，ロアー横長溝１７ｅが形成されている。
【００２７】
本実施形態では、背面部材５はその左右両側の部分がそれぞれ包装体２０で包装されるようになっており、このため、包装体２０は、広幅の表裏板２０ａ，２０ｂと細幅の側面板２０ｃ，２０ｃと細幅の底板２０ｄを有する中空板状に形成されている。包装体２０は段ボールシートから成っており、展開した状態に形成されたものをホッチキス止め又は接着若しくは粘着テープ止めして立体に組み立てられている。
【００２８】
そして、包装体２０における表面板２０ａのうち、背面部材５のセンター横長溝１７ｃに重なる部分（包装体２０の長手方向の中間部）にポケット部２１を形成している。図６に明瞭に示すように、ポケット部２１は、コ字状の切り込み２２とその両端に連続したヒンジ部２３とで囲われた４つのフラップ２４〜２７で構成されており、各フラップ２４〜２７を、ヒンジ部２３を折り目として裏側（内側）に折り曲げるとポケット部２１が開口する。
【００２９】
本実施形態では、包装体２０の長手方向に長い第１フラップ２４と第２フラップ２５とが対向し、包装体２０の幅方向に長い第３フラップ２６と第４フラップ２７とは第１，第２フラップ２４，２５を挟んだ両側に位置している。また、ヒンジ部２３はポケット部２１の外周を構成するようになっている（換言すると、コ字状の切り込み２２はポケット部２１の外周に向けて開口している）。本実施形態ではポケット部２１は細長い形状になっているが、ポケット部２１の形状や大きさは必要に応じて任意に設定できる。
【００３０】
本実施形態では、一方の包装体２０のポケット部２１に１組（２個）のエンドキャップ１０を収納し、他方の包装体２０のポケット部２１に、既述の金具類１２，１３，１５、ねじ類１１、天板２と脚３又は袖キャビネット４との間に介在されるスペーサ２８とを収納している。エンドキャップ１０等の付属品は透明樹脂フィルム製の袋２９に入れられている。配線カバー９及び背面部材用スペーサ１８は、透明な樹脂フィルム製袋３０に入れて背面部材５のアッパー横長溝１７ｄに収納されている。
【００３１】
(3).包装手順及び実施形態の利点
次に、包装方法（包装構造）を説明する。まず、図４に示すように、背面部材５のアッパー横長溝１７ｄに配線カバー９を入れると共に、ロアー横長溝１７ｅ（センター横長溝１７ｃでもよい）に取り扱い説明書や組み立て説明書等の説明書３１を入れ、次いで、背面部材５を透明な樹脂製袋３２に入れて、袋３２を粘着テープ３３で封止する（配線カバー９は、袋３２に入れた背面部材５のアッパー横長溝１７ｄに嵌め込んでも良い。）。
【００３２】
次いで、両包装体２０を背面部材５の端部に嵌め入れてから、図６（Ｂ）に示すように各包装体２０のフラップ２４〜２７を内側に折り曲げることによってポケット部２１を開口し、開口したポケット部２１にそれぞれエンドキャップ１０等の備品類を入れ、次いで、図６（Ｃ）に示すように、両ポケット部２１を透明又は半透明の粘着テープ３４で塞ぐ。そして、最後に、両包装体２０に樹脂テープ（バンド）３５を掛け渡してこれを溶着又は金具止めでループ状に保持する。これにより、両包装体２０は離脱不能に保持され、かつ、背面部材５は包装体２０で保護されている。
【００３３】
そして、粘着テープ３４が透明又は半透明であることにより、包装後においてポケット部２１の内部は外側から視認できるため、エンドキャップ１０等の備品類を収納されているかを随時確認することができ、また、包装体２０の加工手段は切り込み２２を形成するだけであるため加工コストも著しく低廉である。なお、コストや省資源の点からは、包装体２０の深さ寸法（背面部材５と嵌まり合う寸法）は、保護機能を有する範囲でできるだけ小さいのが好ましい。
【００３４】
図７（Ａ）に示すように、配線カバー９は、背面部材５のアッパー横長溝１７ｄに嵌まっていて包装体２０の外側にはみ出ない厚さ寸法になっている。また、配線カバー９は複数本（実施形態では３本）から成っており、左右端部は包装体２０の内部に入り込んでいるため外れ出ることはない。また、図５に示すように、背面部材５を入れている袋３２は、配線カバー９に重なる部分でかつ長手方向の中間部において粘着テープ３６で余長部分が縮まるように纏められている。このため、いずれの各配線カバー９もアッパー横長溝１７ｄからはみ出ることはない。
【００３５】
図７のうち（Ｂ）はエンドキャップ１０を収納した状態でのポケット部２１の平面図、（Ｃ）は（Ｂ）のＣ−Ｃ視断面図であるが、両分図から明らかなとおり、エンドキャップ１０はポケット部２１の幅寸法よりも長さが長くなっている。そこで、エンドキャップ１０をポケット部２１に収納するに際しては、水平部の先端が先になるように傾斜した姿勢で差し込んで、１枚のフラップ（本実施形態の場合は第１フラップ２４を大きく押し曲げている）。この例から容易に理解できるように、フラップ２４〜２７の曲げ角度は収納する備品類の大きさや形状に応じて任意に設定できる。
【００３６】
また、図７（Ｃ）から理解できるように、本実施形態では、フラップ２４〜２７を略直角に折り曲げたときに背面部材５のパネル１７に当接又は近接するように設定しており、このため、薄い備品類であってもポケット部２１から抜け出ることはない。
【００３７】
更に本実施形態の大きな特徴として、背面部材５のパネル１７をポケット部２１の底部として機能させている点が挙げられる。すなわち、各フラップ２４〜２７とパネル１７とが協働して、エンドキャップ１０等の付属品を落下不能に保持しているのである。また、エンドキャップ１０等の付属品類は樹脂フィルム製の袋２９，３０に入れられているため、付属品類がずれ動いてもパネル１７が傷つくことはない。
【００３８】
包装体２０は、これを背面部材５の長手方向にスライドさせることによって背面部材５の端部に嵌脱させることができるが、ポケット部２１にエンドキャップ９等の付属品類を入れた状態では、包装体２０を抜き外そうとしても、付属品類が背面部材５のサイドフレーム１６につかえて抜き外すことができず、このため、包装を解くには、ポケット部２１から付属品類を取り出す必要がある。このため、付属品類の取り出し忘れも確実に防止できるのである（なお、付属品類を取り出したら、ポケット部２１のフラップ２４〜２７を変形させることで包装体２０を背面部材５から抜き外すことができる）。
【００３９】
言うまでもないが、このような収納態様は机の背面部材５の包装に限られるものではなく、凹所を有する他の物品の包装にも適用できる。
【００４０】
(4).第２実施形態（図８）
図８では第２実施形態を示している。この実施形態は図１に示した机システムに使用する両面仕様の背面部材５に包装体に適用したもので、（Ａ）は分離斜視図、（Ｂ）は（Ａ）のＢ−Ｂ視断面図、（Ｃ）は包装済の状態での斜視図である。この包装対象である背面部材５は、補強材１７ａは１本のみであり、このため、背面部材５には、補強部材１７ａを挟んだ上下両側にアッパー横長溝１７ｄとロアー横長溝１７ｅとが存在するだけであり、また、パネル１７とアッパーフレーム１５との間には空間が空いている。
【００４１】
両面仕様のタイプでは、エンドキャップ９等の付属品は１枚の背面部材５に２セットずつ付属している。そして、本実施形態も基本的には第１実施形態と同様であるが、本実施形態では、１つの包装体２０に、底板から開口部に延びる中心線を挟んだ両側に、１対ずつで合計４つのポケット部３８，３９を対称状に形成している。
【００４２】
この場合、各ポケット部３８，３９は横幅は同一であるが（荷造り用粘着テープの幅に規制されるためである）、開口部の側に位置した第１ポケット部３８は底板２０ｄの側に位置したポケット部３９よりも長さが短くなっている。第１ポケット部３８にエンドキャップ１０を収納し、第２ポケット部３９に金具類１２〜１５等の他の付属品を収納している。図示の使用態様では２組のポケット部３８，３９のうち１組しか使用していないが、使用するポケット部３８，３９の数は任意に設定できる。
【００４３】
また、本実施形態では、ポケット部３８，３９は、包装体２０の長手方向の長さが長い一対のフラップ４０と長さが短い１つのフラップ４１との３枚のフラップで構成されている。これは、ポケット部２１の端部を包装体２０の側面板２０ｃの近い部分に寄っているからであり、従って、長さが短いフラップ４１は包装体２０の中心線の側に位置している。なお、この実施形態では、２組の配線カバー１０はアッパー長溝１７ｄに収納している。
【００４４】
ところで、両面仕様の背面部材５の場合、アッパー横長溝１７ｄとロアー横長溝１７ｅとの２つの長溝しかなく、アッパー横長溝１７ｄには配線カバー１０を収納しているため、エンドキャップ１０等の付属品類（小物類）はロアー横長溝１７ｅにしか収納できない。そして、ロアー横長溝１７ｅは背面部材５の長手中心線を挟んだ一方の側（使用状態では下部）に寄っている。このため、ポケット部２１をロアー横長溝１７ｅの箇所のみに設けると、包装体２０は背面部材５の左側部に嵌めるものと左側部に嵌めるものとの２種類が必要となり、包装に際して右用か左用か一々確認しなければならず、かつ、種類を間違って嵌めてテープ３５で止めてしまうことも有り得る。
【００４５】
これに対して本実施形態のように、包装体２０にその中心線（背面部材５の長手中心線と重なる中心線）を挟んだ両側に一対ずつのポケット部３８，３９を形成すると、１種類の包装体２０で対応できる利点がある。
【００４６】
(5).他の実施形態（図９）
図９では平面視長方形の段ボール箱に適用した第３実施形態を示している。段ボール箱は、４つの面を持つ胴部４４と各面に連接した４枚の折り曲げ部４５，４６を備えており、短辺部に連接した２枚の折り曲げ部４５の間に空間が空いている。そして、長辺に連接した２枚の折り曲げ部４６に、短辺に連接した折り曲げ部４５と干渉しない状態でポケット部２１を設けている。このポケット部２１は底を設けても良い。
【００４７】
（Ｂ）に示す例では、本体部４４の短辺に連接した折り曲げ部４５にポケット部２１を設けている。この場合は、ポケット部２１は本体部４４の長辺に連接した折り曲げ部４６で隠れため、特別の封止手段は必要なくなる。
【００４８】
(6).その他
本願発明は上記の実施形態以外に様々に具体化できる。例えば本願発明の素材としては、板紙（板紙）や樹脂板、ベニヤ板のように所定の厚さ・腰の強さを持っている各種のものを採用できる。また、ポケット部の形成手段としては、例えば、本願発明に穴を明けて、この穴の箇所に底及びフランジを形成したポケット体を嵌め込むなどしても良い（この場合、ポケット体を包装体の本体部に接着しても良い。）。
【図面の簡単な説明】
【００４９】
【図１】本願発明の実施形態に係る包装体で包装される物品を含んでいる机システムの斜視図である。
【図２】本願発明の実施形態品で包装される付属品類の斜視図である。
【図３】包装体を一点鎖線で示した背面部材の正面図である。
【図４】背面部材及び付属品の包装工程を示す斜視図である。
【図５】背面部材及び付属品の包装工程を示す斜視図である。
【図６】ポケット部の構造と使用状態を示す斜視図である。
【図７】（Ａ）は図３の VIIA-VIIA視断面図、（Ｂ）は部分的な平面図、（Ｃ）は（Ｂ）のＣ−Ｃ視断面図である。
【図８】第２実施形態を示す図である。
【図９】第３実施形態を示す図である。
【符号の説明】
【００５０】
５  包装される物品の一例としての机用背面部材
１０〜１５  背面部材の付属品
２０  包装体
２１，３８，３９  ポケット部
２２  切り込み
２３  ヒンジ部
２４〜２７，４０，４１  ポケット部のフラップ
【図１】
2007197015.tif 000003
【図２】
2007197015.tif 000004
【図３】
2007197015.tif 000005
【図４】
2007197015.tif 000006
【図５】
2007197015.tif 000007
【図６】
2007197015.tif 000008
【図７】
2007197015.tif 000009
【図８】
2007197015.tif 000010
【図９】
2007197015.tif 000011